(57)【要約】【課題】性能を十分に発揮させることができるゴルフクラブを提供する。【解決手段】シャフト２と、シャフト２の一端に取り付けたヘッド３と、シャフト２の他端に取り付けたグリップ４とを備えたゴルフクラブであって、グリップ４を持つ位置Ｒ２からヘッド３の打球目標点Ｅまでの第１距離Ｌ１と、グリップ４を持つ位置Ｒ２からクラブのスイートスポットＤまでの第２距離Ｌ２との差が−５〜＋５ｍｍであることを特徴とする。【選択図】  図１
2014117396.tif 000002
【特許請求の範囲】
【請求項１】
シャフトと、該シャフトの一端に取り付けたヘッドと、前記シャフトの他端に取り付けたグリップとを備えたゴルフクラブであって、
前記グリップを持つ位置から前記ヘッドの打球目標点までの第１距離と、前記グリップを持つ位置からクラブのスイートスポットまでの第２距離との差が−５〜＋５ｍｍであることを特徴とするゴルフクラブ。
【請求項２】
前記第２距離が、前記グリップを持つ位置からクラブ重心までの距離Ａ及び該距離Ａとクラブ重量とクラブの慣性モーメントを下記式（１）に代入して求められるクラブ重心からクラブのスイートスポットまでの距離Ｂの和であることを特徴とする請求項１に記載のゴルフクラブ。
距離Ｂ＝慣性モーメント／（クラブ重量×距離Ａ）…（１）
【請求項３】
前記ゴルフクラブがウッドタイプである場合には、前記ヘッドの打球目標点がボールを打球する面であるフェースの略中心に設定されていることを特徴とする請求項１又は２に記載のゴルフクラブ。
【発明の詳細な説明】
【技術分野】
【０００１】
本発明は、シャフトと、該シャフトの一端に取り付けたヘッドと、前記シャフトの他端に取り付けたグリップとを備えたゴルフクラブに関する。
【背景技術】
【０００２】
上記ゴルフクラブにあっては、ヘッドのフェースの中心にスイートスポットが位置するようにヘッドを作製し、その作製したヘッドをシャフトの一端に取り付けるとともに、シャフトの他端にグリップを取り付けて、ゴルフクラブを作製している（例えば、特許文献１参照）。前記スイートスポットとは、ボールを打った時の手に伝わる衝撃が少なく飛距離を増大させることができる点のことをいう。
【先行技術文献】
【特許文献】
【０００３】
【特許文献１】特開平１１−２５３５８６号公報
【発明の概要】
【発明が解決しようとする課題】
【０００４】
本願発明者は、重量や長さの異なる多種類のゴルフクラブを特許文献１と同じ方法で作製し、各ゴルフクラブのヘッドのフェースの中心とフェースの中心以外の多数の部分でボールを打ったときの衝撃と飛距離を調べた。すると、ヘッドのフェースの中心でボールを打ったときに比べて、ヘッドのフェースの中心以外の特定部分でボールを打ったときの方が、衝撃が少なく、飛距離が増大するという結果を得た。これは、ヘッドの作製時にヘッドのフェースの中心をスイートスポットとしているが、ヘッドにシャフトとグリップを取り付けて構成したゴルフクラブでは、スイートスポットがヘッドのフェースの中心からずれてしまう。そのため、従来のゴルフクラブでは、ヘッドのフェースの中心にボールを当てても、ゴルフクラブ自体が備えている性能を十分に発揮させて飛距離を増大させることができないものであり、改善の余地があった。
【０００５】
本発明の目的は、前述の問題に鑑みてなされたもので、性能を十分に発揮させることができるゴルフクラブを提供することにある。
【課題を解決するための手段】
【０００６】
本発明に係るゴルフクラブは、シャフトと、該シャフトの一端に取り付けたヘッドと、前記シャフトの他端に取り付けたグリップとを備えたゴルフクラブであって、前記グリップを持つ位置から前記ヘッドの打球目標点までの第１距離と、前記グリップを持つ位置からクラブのスイートスポットまでの第２距離との差が−５〜＋５ｍｍであることを特徴としている。
【０００７】
本発明の構成によれば、グリップを持つ位置からヘッドの打球目標点までの第１距離と、グリップを持つ位置からクラブのスイートスポットまでの第２距離との差を−５〜＋５ｍｍとすることによって、クラブのスイートスポットをヘッドの打球目標点に一致させる又は近づけることができる。従って、使用者はヘッドの打球目標点にボールを当てるようにスイングすることによって、性能を十分に発揮させて飛距離を増大させることができる。
【０００８】
また、本発明に係るゴルフクラブは、前記第２距離が、前記グリップを持つ位置からクラブ重心までの距離Ａ及び該距離Ａとクラブ重量とクラブの慣性モーメントを下記式（１）に代入して求められるクラブ重心からクラブのスイートスポットまでの距離Ｂの和であってもよい。
距離Ｂ＝慣性モーメント／（クラブ重量×距離Ａ）…（１）
【０００９】
かかる構成によれば、ゴルフクラブのクラブ重心を求めることによって、グリップを持つ位置からクラブ重心までの距離Ａを求めることができる。そして、求めた距離Ａとクラブの慣性モーメントとクラブの重量を式（１）に代入して距離Ｂを求めることによって、距離Ａ＋距離Ｂ＝第２距離（グリップを持つ位置からクラブのスイートスポットまでの距離）を求めることができる。
【００１０】
また、本発明に係るゴルフクラブは、前記ゴルフクラブがウッドタイプである場合には、前記ヘッドの打球目標点がボールを打球する面であるフェースの略中心に設定されていてもよい。
【００１１】
かかる構成によれば、ヘッドの打球目標点をフェースの略中心に設定しておくことによって、未熟練者であっても、ヘッドの打球目標点にボールを当て易く、飛距離の増大を図りやすい。
【発明の効果】
【００１２】
本発明のゴルフクラブによれば、グリップを持つ位置からヘッドの打球目標点までの第１距離と、グリップを持つ位置からクラブのスイートスポットまでの第２距離との差が−５〜＋５ｍｍであるゴルフクラブを作製することによって、クラブのスイートスポットをヘッドの打球目標点に一致させる又は近づけることができ、性能を十分に発揮させることができるゴルフクラブを提供することができる。
【図面の簡単な説明】
【００１３】
【図１】本発明のウッドタイプのゴルフクラブを示し、（ａ）は全体側面図、（ｂ）はヘッドの拡大側面図である。
【図２】本発明のアイアンタイプのゴルフクラブを示し、（ａ）はヘッドの正面図、（ｂ）はヘッドの側面図である。
【発明を実施するための形態】
【００１４】
以下、本発明のゴルフクラブの一実施形態について、図面を参照しつつ説明する。図１（ａ），（ｂ）に示すゴルフクラブ１は、ウッドタイプのゴルフクラブからなり、シャフト２と、シャフト２の一端に取り付けたヘッド３と、シャフト２の他端に取り付けたグリップ４とを備えている。
【００１５】
シャフト２は、各種の金属やカーボン繊維等の強化繊維によって構成されている。また、シャフト２は、円筒状に形成され、ヘッド３側先端からグリップ４側端に向けて外径及び内径が共に徐々に大きくかつ肉厚が徐々に薄くなるように形成されている。
【００１６】
ヘッド３は、各種の金属や金属層と繊維強化プラスチック層とが積層されたものによって構成され、ボールを打球する面となるフェース３Ａを備えている。
【００１７】
グリップ４は、ゴム又は各種の合成樹脂から円筒状に構成され、シャフト２と同様に、端部に向けて外径及び内径が共に徐々に大きくかつ肉厚が徐々に薄くなるように形成されている。
【００１８】
また、ヘッド３には、打球目標点Ｅが設けられ、その打球目標点Ｅは、フェース３Ａの中心（中心から少しずれた位置でもよい）に設定されている。また、ヘッド３には、ゴルフクラブ１全体のスイートスポット（作用点とも言う）Ｄが設けられている。このスイートスポットＤは、フェース３Ａに設定されている。
【００１９】
従来のゴルフクラブにおいては、打球目標点Ｅとゴルフクラブ１のスイートスポットＤとが一致するようにゴルフクラブ１を設計していないため、フェース３Ａに設定される打球目標点Ｅとゴルフクラブ１全体のスイートスポットＤとが位置ずれしている。そこで、ゴルフクラブ１のスイートスポットＤが打球目標点Ｅに近付くように、ゴルフクラブ１を設計するのが、本発明の目的である。
【００２０】
そこで、ヘッド３の重量、ゴルフクラブ１の長さ、シャフト２の重量、グリップの重量等を変更することによって、スイートスポットＤを打球目標点Ｅに近付けている。
【００２１】
実際には、グリップ４を持つ位置Ｒ２からヘッド３の打球目標点Ｅまでの第１距離Ｌ１と、グリップ４を持つ位置Ｒ２からゴルフクラブ１のスイートスポットＤまでの第２距離Ｌ２との差が−５〜＋５ｍｍの間に位置するようにゴルフクラブ１を設計する。
【００２２】
グリップ４を持つ位置Ｒ２とは、グリップ４を把持した状態におけるヘッド側の手先の位置であり、グリップ４の遊端Ｒ１からヘッド３側に所定距離Ｓ（ここでは１７５ｍｍに設定している）の位置である。
【００２３】
第２距離Ｌ２は、グリップを持つ位置Ｒ２からゴルフクラブ１のクラブ重心Ｇ（以下、単にクラブと言う）までの距離Ａ及び距離Ａとクラブ重量とゴルフクラブ１の重心Ｇの位置での慣性モーメントを下記式（１）に代入して得られた距離Ｂ（重心Ｇからゴルフクラブ１のスイートスポットＤまでの距離）の和である。
距離Ｂ＝慣性モーメント／（クラブ重量×距離Ａ）…（１）
【００２４】
クラブ重量は、重量測定により求まる。また、慣性モーメントは、測定器により実際に測定することも可能であるが、ゴルフクラブの重心を測定器の回転軸に一致させて測定することが容易ではないため、コンピュータ上で計算することが好ましい。例えば、ゴルフクラブの３次元データをＣＡＤソフト上で作製し、作製した３次元データを用いて慣性モーメントを求める。
【００２５】
前記のようにゴルフクラブ１を設計するために必要となるデータを記載した表を、表１〜表１８に作成した。表１〜表１１が、ウッドタイプのゴルフクラブのデータを示し、表１２〜表１８が、アイアンタイプのゴルフクラブのデータを示している。表について説明すれば、ヘッド重量ａ、シャフト重量ｂ、グリップ重量ｃを設定することによって、総重量（ａ＋ｂ＋ｃ）を求める。シャフトバランス（シャフト重心とも言う）及びグリップ重心は、前述した慣性モーメントを求める場合と同様に、シャフト及びグリップの３次元データをＣＡＤソフト上でそれぞれ作製し、作製した３次元データを用いて求めてもよいし、またシャフト及びグリップのモデルを実際に作製し、作製したシャフト及びグリップを実測することによって、シャフトバランス及びグリップ重心を求めることもできる。ここで、シャフトバランスは、図１においてシャフト２の全長の半分の位置を５０％とし、半分の位置よりもグリップ４側（図１の右側）に位置している場合には、その位置に応じた％値を加算した％値になり、また半分の位置よりもヘッド３側（図１の左側）に位置している場合には、その位置に応じた％値を減算した％値になっている。また、グリップ重心は、図１において、グリップ４の遊端（ヘッド３から離間する側の端）Ｒ１からヘッド３側への距離（単位ｍｍ）で示している。
【００２６】
続いて、前記求めた値から重心Ｇの位置を求め、その重心Ｇの位置での慣性モーメント、重心Ｇからグリップ位置Ｒ２までの距離Ａ、重心Ｇから作用点Ｄまでの距離Ｂ、重心Ｇから打球目標点Ｅまでの距離Ｆを求める。これら求めた２つの距離の差（距離Ｆ−距離Ｂ）を求めることによって、第１距離Ｌ１と、第２距離Ｌ２との差Ｚを求めることができる。この差Ｚが小さいほど、つまり０に近い値になればなるほど、スイートスポットＤが打球目標点Ｅに近付くことになる。尚、打球目標点Ｅからグリップ位置Ｒ２までの距離Ｌ１も参考として表に記載している。
【００２７】
【表１】
2014117396.tif 000003
【００２８】
表１は、本発明の設計範囲となる第１距離Ｌ１と第２距離Ｌ２との差の最大値である＋５ｍｍ（表では４．９９となっているが、四捨五入して５とみなしている。表１のデータ１）と−５ｍｍ（表１のデータ３）とそれらの中間の値となる０ｍｍ（最適値、表１のデータ２）となるように設計した場合を示している。このように差の範囲を設定したのは、±５ｍｍを越えるようなゴルフクラブを設計しても、実用的ではないと判断したためである。
【００２９】
【表２】
2014117396.tif 000004
【００３０】
表２は、ヘッド重量（ａ）、クラブ長さ、シャフト重量（ｂ）、グリップ重量（ｃ）、グリップ重心は、所定の値に設定し、シャフトバランスのみデータ毎に変更した値になっている。表２から、シャフトバランスを５３％以上に設定することによって、第１距離Ｌ１と第２距離Ｌ２との差Ｚが５ｍｍ以下のものが、４つのデータ５〜８となる。
【００３１】
【表３】
2014117396.tif 000005
【００３２】
表３は、表２のグリップ重量（ｃ）を４３ｇから４９ｇに変更するとともに、グリップ重心を８６．４５ｍｍから９６．６５ｍｍに変更した以外の値は、変更していない。このグリップ重量（ｃ）及びグリップ重心の変更によって、総重量及び重心Ｇの位置が変わり、表３の重心Ｇに関係する値も変わっている。しかし、表２と同様な傾向が示され、シャフトバランスを５３％以上に設定することによって、第１距離Ｌ１と第２距離Ｌ２との差が５ｍｍ以下のものが、４つのデータ１０〜１３となる。表２，３のいずれの表も、シャフトバランスを大きくした方が、第１距離Ｌ１と第２距離Ｌ２との差Ｚが小さくなる傾向であることがわかる。
【００３３】
【表４】
2014117396.tif 000006
【００３４】
表４は、表２のグリップ重量（ｃ）を４３ｇから表３と同じ４９ｇに変更した以外の値は、変更していない。このグリップ重量（ｃ）の変更によって、総重量及び重心Ｇの位置が変わり、表４の重心Ｇに関係する値も変わっている。そして、表２のデータ４及び表３のデータ９では、距離Ｌ１と第２距離Ｌ２との差が６．３ｍｍ及び６．４ｍｍとなっていたが、データ１４ではその差が３．６ｍｍとなり、差Ｚの値の範囲が表２，３に比べて、小さな値に纏まっている（データ１４〜１８）。これはグリップ重量（ｃ）を重くすることによって達成できたものと言える。
【００３５】
【表５】
2014117396.tif 000007
【００３６】
表５は、シャフトバランスを６０．０２％と一定にし、グリップ重量（ｃ）を３７ｇ、グリップ重心を９６．６５ｍｍとした上で、ヘッド重量（ａ）をデータ毎に変更した場合である。ヘッド重量（ａ）の変更によって、総重量及び重心Ｇの位置が変わり、表の重心Ｇに関係する値も変わっている。この場合は、第１距離Ｌ１と第２距離Ｌ２との差が５ｍｍ以下のものが、３つのデータ２１〜２３となる。
【００３７】
【表６】
2014117396.tif 000008
【００３８】
表６は、表５のヘッド重量を１９３ｇと一定にし、ゴルフクラブ１の長さをデータ毎に変更した場合である。ゴルフクラブの長さの変更によって、総重量及び重心Ｇの位置が変わり、表６の重心Ｇに関係する値も変わっている。この場合は、第１距離Ｌ１と第２距離Ｌ２との差が５ｍｍ以下のものが、３つのデータ２４〜２６となる。表６において、クラブの長さが短いほど、第１距離Ｌ１と第２距離Ｌ２との差Ｚが小さくなることがわかる。
【００３９】
【表７】
2014117396.tif 000009
【００４０】
表７〜表１１までは、フェアウェイウッドタイプのゴルフクラブに関する表である。表７は、ヘッド重量（ａ）、クラブ長さ、シャフト重量（ｂ）、グリップ重量（ｃ）、グリップ重心は、所定の値に設定し、シャフトバランスのみデータ毎に変更した値を示している。表７から、シャフトバランスを５９．９９％に設定することによって、第１距離Ｌ１と第２距離Ｌ２との差Ｚが５ｍｍ以下のものが、１つのデータ３３となる。また、残りの４つのデータ２９〜３２は、差Ｚが５を越えた値になっている。
【００４１】
【表８】
2014117396.tif 000010
【００４２】
表８は、表７のグリップ重量（ｃ）を３７ｇから４３ｇとし、グリップ重心を８６．９９ｍｍから９６．６５ｍｍに変更し、表７と同様に、シャフトバランスのみデータ毎に変更した値を示している。表８から、シャフトバランスを５９．９９％に設定することによって、第１距離Ｌ１と第２距離Ｌ２との差が５ｍｍ以下のものが、１つのデータ３８となる。また、残りの４つのデータ３４〜３７は、差が５を越えた値になっており、表７と同様な傾向になっている。表７，８から、シャフトバランスを大きくした方が、第１距離Ｌ１と第２距離Ｌ２との差Ｚが小さくなる傾向であることがわかる。
【００４３】
【表９】
2014117396.tif 000011
【００４４】
表９は、表８のグリップ重心の値を９６．６５から８６．４５ｍｍへ変更し、グリップ重心に関係する値が変わっている。表９から、グリップ重心の値を変更することによって、第１距離Ｌ１と第２距離Ｌ２との差が５ｍｍ以下のものが、全てのデータ３９〜４３であり、良好な結果になっている。表８に比べて、表９のようにグリップ重心を小さくした方が、第１距離Ｌ１と第２距離Ｌ２との差Ｚが小さくなることがわかる。
【００４５】
【表１０】
2014117396.tif 000012
【００４６】
表１０は、表９のグリップ重量４３ｇを４９ｇとし、グリップ重心を８６．４５ｍｍから９６．６５ｍｍに変更し、それらグリップ重量及びグリップ重心に関係する値が変わっている。表９と同じように表１０は、グリップ重量及びグリップ重心の値を変更することによって、第１距離Ｌ１と第２距離Ｌ２との差が５ｍｍ以下のものが、全てのデータ４４〜４８となり、良好な結果になっている。表１０では、表９に対してグリップ重心を大きくしたにも係らず、グリップ重量を重くすることによって、第１距離Ｌ１と第２距離Ｌ２との差Ｚが小さくなることがわかる。
【００４７】
【表１１】
2014117396.tif 000013
【００４８】
表１１は、表１０のグリップ重心の値を９６．６５から８６．４５ｍｍへ変更し、グリップ重心に関係する値が変更になっている。表１１から、グリップ重心の値を変更することによって、表９及び表１０と同様に、第１距離Ｌ１と第２距離Ｌ２との差が５ｍｍ以下のものが、全てのデータ４９〜５３となり、良好な結果になっている。表１１から、グリップ重量を表９よりも重くし、表１０のグリップ重心よりも短く（小さく）することによって、第１距離Ｌ１と第２距離Ｌ２との差Ｚが、より一層小さくなることがわかる。
【００４９】
【表１２】
2014117396.tif 000014
【００５０】
表１２〜表１８は、アイアンタイプのゴルフクラブの場合を示している。表１２では、ヘッド重量（ａ）、クラブ長さ、シャフト重量（ｂ）、グリップ重量（ｃ）、グリップ重心は、所定の値に設定し、シャフトバランスのみデータ毎に変更した値を示している。表１２から、シャフトバランスを６０％に設定することによって、第１距離Ｌ１と第２距離Ｌ２との差Ｚが５ｍｍ以下のものが、１つのデータ５８となる。また、その他４つのデータ５４〜５７は、差Ｚが５を越える値になっている。
【００５１】
ここで、ゴルフクラブがウッドタイプである場合には、ヘッドの打球目標点は、ボールを打球する面であるフェースの中心（略中心でもよい）に設定されているが、ゴルフクラブがアイアンタイプである場合には、図２（ａ），（ｂ）に示すように設定されている。つまり、ヘッド３１のフェース３３の幅方向中央で、かつ、ソール面３２とフェース３３との境界をなすリーディングエッジ３４からトップライン（トップエッジとも言う）３５側に所定距離ｈの位置に、打球目標点３３Ｅが設定されている。ここでは、所定距離ｈを１１ｍｍに設定しているが、どのような距離に設定してもよい。
【００５２】
【表１３】
2014117396.tif 000015
【００５３】
表１３は、表１２のグリップ重心の値を９６．６５から８６．２７ｍｍへ変更し、グリップ重心に関係する値が変更になっている。表１３から、グリップ重心の値を変更することによって、第１距離Ｌ１と第２距離Ｌ２との差が５ｍｍ以下のものが、２つのデータ６２，６３となり、表１２よりも、良好な結果になっている。この場合も、グリップ重心を小さく（短く）した方（グリップ４の遊端Ｒ１寄りにした方）が、第１距離Ｌ１と第２距離Ｌ２との差Ｚが小さくなることがわかる。
【００５４】
【表１４】
2014117396.tif 000016
【００５５】
表１４は、グリップ重量を表１２の３７ｇから４３ｇへ変更し、グリップ重量に関係する値が変わっている。表１４から、グリップ重量を変更することによって、第１距離Ｌ１と第２距離Ｌ２との差が５ｍｍ以下のものが、３つのデータ６６，６７，６８となり、表１３よりも、良好な結果になっている。これは、表１２のグリップ重心を小さくするよりも、グリップ重量を重くした方が、第１距離Ｌ１と第２距離Ｌ２との差Ｚを小さくすることができる結果となった。
【００５６】
【表１５】
2014117396.tif 000017
【００５７】
表１５は、表１２のグリップ重量を３７ｇから４３ｇへ変更するとともに、グリップ重心の値を９６．６５から８６．４５ｍｍへ変更し、グリップ重量及びグリップ重心に関係する値が変わっている。表１５から、グリップ重量及びグリップ重心を変更することによって、第１距離Ｌ１と第２距離Ｌ２との差が５ｍｍ以下のものが、全てのデータ６９，７０，７１，７２，７３となり、表１４よりも、良好な結果になっている。これは、グリップ重量を重くし、グリップ重心を短く（小さく）することによって、第１距離Ｌ１と第２距離Ｌ２との差Ｚが、より一層小さくなることがわかる。
【００５８】
【表１６】
2014117396.tif 000018
表１６は、表１５のグリップ重量を４３ｇから４９ｇへ変更し、グリップ重心を８６．２７ｍｍから９６．６５ｍｍへ変更し、グリップ重量及びグリップ重心に関係する値が変更になっている。表１６から、グリップ重量及びグリップ重心を共に大きい値に変更することによって、第１距離Ｌ１と第２距離Ｌ２との差が５ｍｍ以下のものが、全てのデータ７４，７５，７６，７７，７８となり、表１５と同様に、表１４よりも、良好な結果になっている。これは、グリップ重量を表１５よりも重くすれば、グリップ重心を長く（大きく）しても、第１距離Ｌ１と第２距離Ｌ２との差Ｚが、表１５と同様に、より一層小さくなることがわかる。
【００５９】
【表１７】
2014117396.tif 000019
【００６０】
表１７は、表１６のグリップ重心の値を９６．６５から８６．４５ｍｍへ変更し、グリップ重心に関係する値が変更になっている。表１７から、グリップ重心の値を変更することによって、表１６よりも、第１距離Ｌ１と第２距離Ｌ２との差が少ないデータのものが、全てのデータ７９，８０，８１，８２，８３となり、非常に良好な結果になっている。これは、グリップ重量を重くし、グリップ重心を短く（小さく）することによって、第１距離Ｌ１と第２距離Ｌ２との差Ｚが、非常に小さくなることがわかる。
【００６１】
【表１８】
2014117396.tif 000020
【００６２】
表１８は、シャフト重量以外の値を所定の値とし、シャフト重量を４０ｇ〜４８ｇの間で変更した値にしている。このシャフト重量の変更によりシャフト重量に関係する値が変更になっている。表１８から、シャフト重量を変更することによって、第１距離Ｌ１と第２距離Ｌ２との差が５ｍｍ以下のものが、全てのデータ８４〜８８となり、非常に良好な結果になっている。これは、シャフト重量を軽くする方が、第１距離Ｌ１と第２距離Ｌ２との差Ｚを小さくすることができる結果となった。
【００６３】
以上の表から、シャフトバランスを大きな値にするほど、差Ｚの値が小さくなる傾向にあることがわかる。また、グリップ重量を重くする、又はグリップ重心を小さくすればするほど（グリップの重心がグリップを握っている手元側に近付くほど）、差Ｚの値が小さくなる傾向にあることがわかる。また、グリップ重量を重くし、かつ、グリップ重心を小さくすれば、差Ｚの値が、より一層小さくなる傾向にあることがわかる。また、クラブ長さを短くすればするほど、差Ｚの値が小さくなる傾向にあることがわかる。また、シャフト重量が軽くなると、差Ｚの値が小さくなる傾向にあることがわかる。
【００６４】
以上、本発明を実施形態に基づき具体的に説明したが、本発明は前記実施形態に限定されるものではなく、その要旨を逸脱しない範囲で種々変更可能であることはいうまでもない。
【００６５】
前記実施形態では、グリップ４を持つ位置Ｒ２を、グリップ４のヘッド３側端Ｒ１から距離Ｓ（１７５ｍｍ）にある位置に設定したが、グリップを持つ位置は任意に変更することができる。
【００６６】
また、前記実施形態では、ゴルフクラブヘッドとして、ウッド及びアイアンを用いた場合を示したが、パターにおいても同様に本発明を適用することができる。
【符号の説明】
【００６７】
１…ゴルフクラブ、２…シャフト、３…ヘッド、３Ａ…フェース、４…グリップ、３１…ヘッド、３２…ソール面、３３…フェース、３３Ｅ…打球目標点、３４…リーディングエッジ、Ｄ…スイートスポット（作用点）、Ｅ…打球目標点、Ｆ…距離、Ｇ…重心、
Ｒ２…グリップ位置
【図１】
2014117396.tif 000021
【図２】
2014117396.tif 000022